【手続補正書】
【提出日】平成17年12月13日(2005.12.13)
【手続補正１】
【補正対象書類名】手続補正書
【補正対象項目名】手続補正１
【補正方法】変更
【補正の内容】
【手続補正１】
【補正対象書類名】特許請求の範囲
【補正対象項目名】全文
【補正方法】変更
【補正の内容】
【特許請求の範囲】
【請求項１】
頭を洗うときに使用する液状の薬剤や薬品や洗剤のシャンプーの容器と、シャンプーのとりだし容器と、容器のパッケージに透明な部分をつくり、液状の薬剤や薬品や洗剤の内容量や残量や状態や形状などをわかるようにした。又、粉末状などの薬剤や薬品や洗剤のシャンプーでもわかるようにした。又、本発明は、さまざまな、おおきさや形や目的や用途などの、容器やとりだし容器やその他の容器についても含めるようにした。又、本発明は、さまざまな、おおきさや形などの容器やとりだし容器やその他の容器などについてや、さまざまな、目的や用途などの容器やとりだし容器やその他の容器などのものについて発明とした。又、本発明はデサインとしても、新たなものとして、本発明とした。又、本発明はデザインとしても、利用や活用ができるようにした。又、本発明は円い透明の部分がさまざまな数や複数のものとして、デザインとしても、本発明とした。又、本発明の透明な部分とは、さまざまな、透明度であり、さまざまな、容器やとりだし容器やその他の容器などとして、中身の色や残量やじょうたいや形状などやその他などが、さまざまに、わかるなどとした。又、容器やとりだし容器やその他の容器などを、容器やとりだし容器やその他の容器などのようなものとして、新たに使用や利用や活用などをしようとするものに対してや、容器やとりだし容器やその他の容器などの形をつくり、使用や利用や活用などができるものについても、本発明とした。又、本発明は、二重などの、複数にした、さまざまな、容器やとりだし容器やその他の容器などについても、本発明に、含めた。又、さまざまな、容器やとりだし容器やその他の容器などのものを、つつみこむような、パッケージなどや、二重にしたものや、包装や覆いなどのものについても、本発明に含めた。又、本発明は、透明な部分に、残量や状態や形状などが、わかるように、目盛りや目印などをつくるようにしたことについても、本発明に含めた。又、方法としても、できるようにした。又、方法としても、利用や活用ができるようにした。
【請求項２】
頭を洗うときに使用する液状の薬剤や薬品や洗剤のリンスの容器と、リンスのとりだし容器と、容器のパッケージに透明な部分をつくり、液状の薬剤や薬品や洗剤の内容量や残量や状態や形状などをわかるようにした。又、粉末状などの薬剤や薬品や洗剤のリンスでもわかるようにした。又、さまざまな、大きさや形などの、容器やとりだし容器やその他の容器などについてや、さまざまな、目的や用途などの容器やとりだし容器やその他の容器などについて発明とした。又、本発明はデザインとしても、新たなものとして、本発明とした。又、本発明の透明な部分とは、さまざまな、透明度であり、さまざまな、容器やとりだし容器やその他の容器などとして、中身の色や残量やじょうたいや形状などやその他などが、さまざまに、わかるなどとした。又、容器やとりだし容器やその他の容器などを、容器やとりた゜し容器やその他の容器などのようなものとして、新たに使用や利用や活用などをしようとするものに対してや、容器やとりだし容器やそのたの容器などの、形をつくり、使用や利用や活用などができるものについても、本発明とした。又、本発明は、二重などの、複数にした、さまざまな、容器やとりだし容器やその他の容器などについても、本発明に、含めた。又、さまざまな、容器やとりだし容器やその他の容器などのものを、つつみこむような、パッケージなどや、二重にしたものや、包装や覆いなどのものについても、本発明に含めた。又、本発明は、透明な部分に、残量や状態などが、わかるように、目盛りや目印などをつくるようにしたことについても、本発明に含めた。又、方法としても、できるようにした。又、方法としても、利用や活用ができるようにした。
【請求項３】
手や顔や体などを洗うときに使用する液状や粉末状などの衛生用やその他や、その他の洗剤や薬剤や洗剤などのはいった容器やとりだし容器やその他の容器や容器のパッケージに透明な部分をつくり、液状や粉末状などの薬剤や薬品や洗剤などの中身や内容量の残量やじょうたいや形状などやその他をわかるようにした。そして、日用品などやその他のものに、利用や活用がされるさまざまな、容器のものなどが、新しいものとなったものが、できるようになった。又、容器やその他の容器の中身などの形や色やじょうたいや形状やその他を確認できるようにした。又、本発明は、さまざまな、おおきさや形や目的や用途などの、容器やとりだし容器やその他の容器についてもふくめるようにした。又、本発明は、さまざまな、おおきさや形などの容器やとりだし容器やその他の容器などについてや、さまざまな、目的や用途などの容器やとりだし容器やその他の容器などのものについて発明とした。又、本発明はデザインとしも、新たなものとして、本発明とした。又、本発明は、デザインとしても、利用や活用ができるようにした。又、本発明は円い透明の部分がさまざまな、数や複数のものとして、デザインとしても、本発明とした。又、本発明の透明な部分とは、さまざまな、透明度であり、さまざまな、容器やとりだし容器やその他の容器などとして、中身の色や残量やじょうたいや形状などやその他などが、さまざまに、わかるなどとした。又、容器やとりだしは容器やその他の容器などを、容器やとりだし容器やその他の容器などのようなものとして、新たに使用や利用や活用などをしようとするものに対してや、容器やとりだし容器やその他の容器などの形をつくり、使用や利用や活用などができるものについても、本発明とした。又、本発明は、二重などの、複数にした、さまざまな、容器やとりだし容器やその他の容器などについても、本発明に、含めた。又、さまざまな、容器やとりだし容器やその他の容器などのものを、つつみこむような、パッケージなどや、二重にしたものや、包装や覆いなどのものについても、本発明に含めた。又、本発明は、透明な部分に、残量や状態や形状などが、わかるように、目盛りや目印などをつくるようにしたことについても、本発明に含めた。又、方法としても、できるようにした。又、方法としも、利用や活用ができるようにした。
【請求項４】
本発明は、産業用として、さまざまな、目的や用途などやその他について、利用や活用などがされている、さまざまな、おおきさや形や目的や用途などの、家庭用や工業用や商業用について、さまざまな、目的や用途として、利用や活用がされている、液状や粒状などの薬品や洗剤や薬剤などの、容器やとりだし容器やその他の容器の、薬品や薬剤や洗剤やその他のものや産業用などの、散布器や散布機や散布容器やとりだし容器や、その他の容器やその他に、透明な部分をつくり、液状などの薬剤や洗剤や薬品やその他のものなどの、中身などや内容量や中身などの、残量やじょうたいや色や形状などやその他を、わかるようにした。又、粉末状や粒状などの薬品や洗剤や薬剤や、その他のものなどのものでも、わかるようにした。又、安全性に配慮することを、考慮するとしたことも含めた。そして、容器や散布器や散布機や散布容器や、とりだし容器やその他などの容器に、本発明を使用した。又、さまざまな、本発明の、容器やとりだし容器やその他の容器などに、パッケージなどやその他の、覆いや包装などやその他として使用や利用や活用などがされている、不透明やあまりとうめいでない容器や半透明の容器やその他の容器などに、透明な、部分をつくつ、中身のじょうたいや残量や色や形状やその他などを、わかることができるようにして本発明に含めた。又、さまざまな、おおきさや形や目的や用途などやその他の、不透明やあまり透明でないものや半透明の、容器やとりだし容器やその他の容器やその他の、ものなどの形の全体のさまざまな所に、透明な部分を、さまざまな、おおきさや形などの部分などをつくり、本発明のように、したものとして、透明の部分が全体的におよんでいるものも、本発明に含めた。そして、本発明のように中身などのじょうたいや残量や色や形状やその他などがわかるようにした。又、本発明は、透明として、さまざまな、おおきさや形や目的や用途やその他などの、容器やとりだし容器やその他の容器その他などの、全体的やさまざまな部分について、透明の部分をつくりました透明のところについては、さまざまな透明度のものとした。そして、さまざまな、おおきさや形や目的や用途の容器やとりだし容器やその他の容器やその他などの、中身の、残量や色やじょうたいや、形状などやその他などが、わかるようにした。そして、さまざまな、透明度にした。又、本発明は、二重などの、複数にした、さまざまな、大きさや形や目的や用途やその他などの、容器やとりだし容器やその他の容器やその他のものなどとして、本発明のように、不透明やあまり透明でない容器や半透明などの、容器やとりだし容器や半透明容器やその他のものなどに、さまざまな、中身のじょうたいや残量や色や形状やその他などが、わかるものとして、さまざまな、透明度ものの、透明の部分を、つくり、わかるようにした。又、本発明はデザインとしても、本発明に含めた。又、本発明は、さまざまな、不透明やあまり透明でない容器や半透明の容器などに、全体的や一部や部分的などに、透明の部分を、つくり、さまざまな、目的や用途として、利用や活用ができるようにしたことについても、本発明とした。尚且つ、本発明に含めた。又、本発明は、産業用としても、産業用のさまざまな、目的や用途の容器やとりだし容器やその他の容器などについても、本発明に含めた。そして、本発明のように中身などのじょうたいや残量や色や形状やその他などがわかるようにした。又、本発明に含めた、農業用や園芸用などやそれに関連やふくまれるものなどの、容器やとりだし容器やその他の容器などについても、本発明とした。そして、本発明にふくめた。又、本発明のように中身のじょうたいや残量や色や形状やその他などがわかるようにした。又、さまざまな、目的や用途などの、産業用などの、パイプやパイプ状などのものや、そのようなもの、についての、容器やとりだし容器やその他の容器についても、本発明とした。そして、本発明のように中身などのじょうたいや残量や色や形状やその他などが、わかるようにした。又、本発明は、産業用として、家庭用や工業用や商業用などやその他として、使用や利用や活用などがされている、家電製品や電化製品や電気製品や電気製品や電器製品や電器製品などの、容器やとりだし容器やその他り容器などについても、不透明やあまり透明でない容器や半透明などやその他の容器やその他のものに、透明の部分を全体的や一部や部分的として、つくり、中身のじようたいや残量や色や形状やその他などが、わかるようにした。そして、本発明とした。そして、利用や活用などができるようにした。そして、本発明のように、中身などのじょうたいや残量や色や形状やその他などが、わかるようにした。又、産業用として、家電製品や電化製品や電気製品や電器製品や電機製品などについても、さまざまな、おおきさや形などや、さまざまな、目的や用途の容器やとりだし容器やその他の容器などのものについても、本発明とした。そして、利用や活用ができるようにした。そして、本発明のように、中身などのじょうたいや残量や色や形状やその他などが、わかるようにした。又、本発明は、さまざまな、目的や用途などに、より利用や活用がされている、さまざまな、おおきさや形などの文房具などについても、本発明とした。そして、利用や活用ができるようにした。そして、本発明に含めた。そして、本発明のように、中身のじょうたいや、残量や色や形状やその他などが、わかるようにした。又、本発明は、さまざまな、目的や用途などにより利用や活用がされている、さまざまな、おおきさや形などの腕時計などやその他の時計類のものなどや、その他についても、本発明とした。そして、利用や活用などが、できるようにした。そして、本発明に含めた。そして、本発明のように中身などのじょうたいや残量や色や形状やその他などが、わかるようなした。又、産業用として、さまざまの、目的用途などやその他や、利用や活用などがされている、さまざまな、おおきさや形などの、日用品や社会生活におけるさまざまな、容器やとりだし容器やその他の容器やその他についても本発明に含めた。日用品や社会生活におけるさまざまな、目的や用途などに、使用や利用や活用などが、される、さまざまな、不透明やあまり透明でない容器や半透明の容器などについても、透明な部分を、全体的や一部や部分的につくり、中身などの、残量やじょうたいや色や形状などやその他が、本発明のようにわかるようにした。そして、本発明に含めた。又、方法としても、できるようにした。又、方法としても、利用や活用ができるようにした。
【請求項５】
食品に利用される容器や取り出し容器やその他の容器についても、中身などの内容量や残量が、わかるようにした、容器の中身の食品のじょうたいや色や形状などや形が、わかるようにした。そして、食品については、美容用や化粧用や健康食品やその他の目的で生産されるものについてもふくめるようにして、ペット用の食品もふくむ。又、食品としてやその他として、飲料水や飲料水などのものについても、さまざまな、おおきさや形などの、容器やとりだし容器やその他の容器などのものについても、本発明のように、含めた。又、不透明な容器やあまり透明でない容器や半透明の容器などのねのに、透明な部分をつくり、中身などの残量やじょうたいや色や形状などが、わかるようにした。又、産業用として、さまざまな、おおきさや形などの、食品としてや、飲食物などとして、利用や活用などがされている、容器やとりだし容器やその他の容器やその他のものなどについても、本発明に含めた。そして、中身のじょうたいや残量や色や形状やその他などが、本発明のように、わかるようにした。又、本発明は、さまざまな、おおきさや形や目的や用途などの、容器やとりだし容器やその他の容器についてもふくめるようにした。又、本発明は、さまざまな、おおきさや形などの容器やとりだし容器やその他の容器などについてや、さまざまな、目的や用途などの容器やとりだし用容器やその他の容器などのものについて発明とした。又、本発明は、デザインとしも、新たなものとして、本発明とした。又、本発明はデザインとしても、利用や活用ができるようにした。又、本発明は円い透明の部分がさまざまな数や複数のものとして、デザインとしても、本発明とした。又、本発明の透明な部分とは、さまざまな、透明度であり、さまざまな、容器やとりだし容器やその他の容器などとして、中身の色や状態や形状やその他などが、さまざまに、わかるなどどした。又、容器やとりだし容器やその他の容器などを、容器やとりだし容器やその他の容器などのようなものとして、新たに使用や利用や活用などわしようとするものに対してや、容器やとりだし容器やその他の容器などの形をつくり、使用や利用や活用などができるものについても、本発明とした。又、本発明は、二重などの、複数にした、さまざまな、容器やとりだし容器やその他の容器などについても、本発明に、含めた。又、さまざまな、容器やとりだし容器やその他の容器などのものを、つつみこむような、パッケージなどや、二重にしたものや、包装や覆いなどのものについても、本発明に含めた。又、本発明は、透明な部分に、残量や状態などが、わかるように、目盛りや目印などをつくるようにしたことについても、本発明に含めた。又、方法としても、できるようにした。又、方法としても、利用や活用ができるようにした。
【請求項６】
ペット用の飼育に利用される薬品や薬剤や洗剤などのはいった容器や取り出し容器や、散布器や散布機やその他の容器の、液状や粉末状などの薬剤や薬品や洗剤などの、中身などの内容量や中身などの、残量やじょうたいや色や形状やその他がわかるようにした。上記の家庭用や工業用や商業用について、ペット用もふくむ。又、本発明は、さまざまな、おおきさや形や目的や用途などの、容器やとりだし容器やその他の容器についても含めるようにした。又、本発明は、さまざまな、おおきさや形などの容器やとりだし容器やその他の容器などについてや、さまざまな、目的や用途やなどの容器やとりだし容器やその他の容器などのものについて発明とした。又、本発明は、デザインとしても、本発明とした。又、本発明はデザインとしても、利用や活用ができるようにした。又、本発明は円い透明の部分がさまざまな数や複数のものとして、デザインとしても、本発明とした。又、本発明の透明な部分とは、さまざまな、透明度であり、さまざまな、容器やとりだし容器やその他の容器などとして、中身の色や残量やじょうたいや形状などやその他などが、さまざまに、わかるなどとした。又、容器やとりだし容器やその他の容器などを、容器やとりだし容器やその他の容器などのようなものとして、新たに使用や利用や活用などをしようとするものに対してや、容器やとりだし容器やその他の容器などの形をつくり、使用や利用や活用などができるものについても、本発明とした。又、本発明は、二重などの、複数にした、さまざまな、容器やとりだし容器やその他の容器などについても、本発明に、含めた。又、さまざまな、容器やとりだし容器やその他の容器などのものを、つつみこむような、パッケージなどや、二重にしたものや、包装や覆いなどのものについても、本発明に含めた。又、本発明は、透明な部分に、残量や状態などが、わかるように、目盛りや目印などをつくるようにしたことについても、本発明に含めた。又、方法としても、できるようにした。又、方法としても、利用や活用ができるようにした。
【請求項７】
医療用に利用されている食品や薬品や薬剤や洗剤などについては、上記のような説明のなかに加えるようにした。したがって、容器や取り出し容器や散布器や散布機やその他の容器などは、目的や用途におうじて、全体的や一部や部分的などに透明な部分をつくり、医療用についても本発明を適用した。又、カプセル状の薬やそのようなものなどのさまざまな、大きさや形の容器や、そのものを、いれている、さまざまな、おおきさや形などやその他の、容器についての容器などの、小さなものやさまざまな、大きさや形のものについても、本発明に含めるようにした。又、本発明は、さまざまな、おおきさや形や目的や用途などの、容器やとりだし容器やその他の容器についても、含めるようにした。又、本発明は、さまさまな、おおきさや形などの容器やとりだし容器やその他の容器などについてや、さまざまな、目的や用途などの容器やとりだし容器やその他の容器などについて発明とした。又、本発明はデザインとしても、新たなものとして、本も発明とした。又、本発明はデザインとしても、利用や活用ができるようにした。又、本発明は、円い透明の部分がさまざまな数や複数のものとして、デザインとしても、本発明とした。又、本発明の透明な部分とは、さまざまな、透明度であり、さまざまな、容器やとりだし容器やその他の容器などとして、中身の色や残量やじょうたいや形状などやその他などが、さまざまに、わかるなどとした。又、容器やとりだし容器やその他の容器などを、容器やとりだし容器やその他の容器などのようなものとして、新たに、使用や利用や活用などをしようとするものに対してや、容器やとりだし容器やその他の容器などの形をつくり、使用や利用や活用などができるようにしたものも、本発明とした。又、本発明は、二重などの、複数にした、さまざまな、容器やとりだし容器やその他の容器の容器などについても、本発明に、含めた。又、さまざまな、容器やとりだし容器やその他の容器などのものを、つつみこむような、パッケージなどや、二重にしたものや、包装や覆いなどのものについても、本発明にふくめた。又、本発明は、透明な部分、残量や状態などが、わかるように、目盛りや目印などをつくるようにしたことについても、本発明に含めた。又、方法としても、できるようにした。又、方法としても、利用や活用ができるようにした。
【請求項８】
産業用や美容や化粧用に使用されている、液状や粉末状や粒状などの薬剤や薬品や洗剤などの容器や取り出し容器や散布器や散布機やその他の容器を上記のように、透明な部分がないものや、あまり透明でないものの容器に、透明な部分を、全体的や一部や部分的につくり、本発明を適用した。又、本発明は、さまざまな、おおきさや形や目的や用途などの、容器やとりだし容器やその他の容器についても含めるようにした。又、本発明は、さまさまな、おおきさや形などの容器やとりだし容器やその他の容器などについてや、さまざまな、目的や用途などの容器やとりだし容器やその他の容器などのものについて発明とした。又、本発明はデザインとしても、利用や活用ができるようにした。又、本発明は円い透明の部分がさまざまな数や複数のものとして、デザインとしても、本発明とした。又、本発明の透明な部分とは、さまざまな、透明度であり、さまざまな、容器やとりだし容器やその他の容器などとして、中身の色や残量やじょうたいや形状などやその他などが、さまざまに、わかるなどとした。又、容器やとりだし容器やその他の容器などを、容器やとりだし容器やその他の容器などのものとして、新たに使用や利用や活用などをしようとするものに対してや、容器やとりだし容器やその他の容器などについても、本発明に、含めた。又、さまざまな、容器やとりだし容器やその他の容器などのものを、つつみこむような、パッケージなどや、二重にしたものや、包装や覆いなどのものについても、本発明に含めた。又、本発明は、透明な部分に、残量や状態などが、わかるように、目盛りや目印などをつくるようにしたことについても、本発明にふくめた。又、方法としても、できるようにした。又、方法としても、利用や活用ができるようにした。
【請求項９】
上記の容器について、産業用やその他として、最大の目的は容器や取り出し容器や散布器や散布機やその他の容器などの中身などのじょうたいや内容量や色や形状などが、わからないものを、わかるようにした。すなわち、上記の不透明な容器や不透明のその他の容器やあまり透明でない容器やその他の容器の中身のようすをすばやく確実に知ることができるようにしたものです。又、特殊の目的のために実現をもとめるだけでなく、ひろく、一般的な目的のための実現をもとめるものです。又、本発明は、さまざまな、おおきさや形や目的や用途などの、容器やとりだし容器やその他の容器などについても、含めるようにした。又、本発明は、さまざまな、おおきさや形などの容器やとてりだし容器やその他の容器などについてや、さまざまな、目的や用途などの容器やとりだし容器やその他の容器などのものについて発明とした。又、本発明はデザインとしても、新たなものとして、本発明とした。又、本発明はデザインとしても、利用や活用ができるようにした。又、本発明は、円い透明の部分がさまざまな、数や複数のものとして、デザインとしても、本発明とした。又、本発明の透明な部分とは、さまざまな、透明度であり、さまざまな、容器やとりだし容器やその他の容器などとして、中身の色や残量やじょうたいや形状などやその他などが、さまざまに、わかるなどとした。又、容器やとりだし容器やその他の容器などを、容器やとりだし容器やその他の容器などのようなものとして、新たに使用や利用や活用などをしようとするものに対してや、容器やとりだし容器やその他の容器などの形をつくり、使用や利用や活用などができるものについても、本発明とした。又、本発明は、二重などの、複数にした、さまざまな、容器やとりだし容器やその他の容器などについても、本発明に含めた。又、さまざまな、容器やとりだし容器やその他の容器などのものを、つつみこむような、パッケージなどや、二重にしたものや、包装や覆いなどのものについても、本発明に含めた。又、本発明は、透明な部分に、残量や状態や形状などが、わかるようにした、目盛りや目印などをつくるようにしたことについても、本発明に含めた。又、方法としても、できるようにした。又、方法としても、利用や活用ができるようにした。
【請求項１０】
上記についての、産業用やその他として、さまざまな、目的や用途などの、不透明や透明な部分がないもの容器やあまり透明でない容器や半透明の容器などや、その他の容器やその他などに、そして、上述した、さまざまな、おおきさや形などや、さまざまな、目的や用途の、容器や取り出し容器や散布器や散布機やその他の容器の、大きさや色や形については、さまざまな、いろいろな、おおきさや色や形のものにできるようにする。又、本発明は、さまざまな、おおきさや形や目的や用途などの、容器やとりだし容器やその他の容器についても含めるようにした。又、本発明は、さまざまな、おおきさや形などの容器やその他の容器なにどについてや、さまざまな、目的や用途などの容器やとりだし容器やその他の容器などのものについて発明とした。又、本発明はデザインとしても、新たなものとして、本発明とした。又、本発明はデザインとしても、利用や活用ができるようにした。又、本発明は円い透明の部分がさまざまな数や複数のにものとしても、デザインとしてもね本発明とした。又、本発明の透明な部分とは、さまざまな、透明度であり、さまざまな、容器やとりだし容器やその他の容器などとして、中身などの、色や残量やじょうたいや形状などやその他などが、さまざまなにねわかるようにした。又、容器やとりだし容器やその他の容器などを、容器やとりだし容器やその他の容器などのようなものとして、新たに使用や利用や活用などをしようとするものに対してや、容器やとりだし容器やその他の容器などの形をつくり、使用や利用や活用などができるものについても、本発明とした。又、本発明は、二重などの、複数にした、さまざまな、容器やとりだし容器やその他の容器などについても、本発明に、ふくめた。又、さまざまな、容器やとりだし容器やその他の容器などのものを、つつみこむような、パッケージなどや、二重にしたものや、包装や覆いなどのものについても、本発明に含めた。又、本発明は、透明な部分に、残量やじょうたいなどが、わかるように、目盛りや目印などをつくるようにしたことにについても、本発明に含めた。又、方法としても、できるようにした。又、方法としても、利用や活用できるようにした。
【請求項１１】
産業用や家庭用や工業用や商業用などや産業用やその他についてに、ふくまれ関連する、家庭器具や家庭機具や、その他の機具や器具などや、家電製品や電化製品や電機製品や電器製品や電機製品などについても、本発明のように上述しましたように、さまざまな、おおきさや形や、目的や用途などとしての、不透明やあまり透明でないや半透明などやその他の、容器やとりだし容器やその他の容器などやその他などに、全体的や一部や部分的に、さまざまな、透明度の透明な部分をつくり、中身などのじょうたいや残量や色や形状などや、中身などのぐあいなどが、わかるようにした。又、さまざまな、上述した中身などのじょうたいや残量や色や形状などや、具合などやその他などが、わかるようにした、さまざきな、透明度のものを、透明として、中身などの、残量やじょうたいや色や形状や具合などやその他などが、わかるようにした。そして、又、デザインとしても、利用や活用ができるようにした。又、方法としても、できるようにした。そして、又、方法としても、利用や活用などが、できるようにした。
【請求項１２】
産業用としてや、家庭用や商業用や工業用などとしてや、産業用のものとしてなどとして、含まれ含めた。腕時計や時計類やその他のものについても、本発明のように上述しましたように、さまざまな、おおきさや形や、目的や用途などとしての不透明やあまり透明でないや半透明やその他などとしての、容器やとりだし容器やその他の容器やその他などに、全体的や一部や部分的に、さまざまな、透明度の透明な部分をつくり、中身などのじょうたいや色や残量や形状などや具合やその他などが、わかるようにした。又、さまざまな、上述した中身などのじょうたいや残量や色や形状や具合などやその他などが、わかる透明度のものを透明としてた。又、デザインとしても、利用や活用ができるようにした。又、方法としても、利用ができるようにした。そして、又、方法としても、利用や活用ができるようにした。
【請求項１３】
産業用として、さまざまな、目的や用途としての、さまざまな、おおきさや形などの、容器やとりだし容器やその他の容器やその他などの、不透明やあまり透明でないや半透明やその他などの、容器やとりだし容器やその他の容器やその他などに、全体的や一部や部分的に、さまざまな、透明度の透明な部分をつくり、中身などの、じょうたいや残量や色や形状などや具合などやその他などが、わかるようにした。又、さまざまな、上述した中身などの、じょうたいや残量や色や形状や具合などやその他などが、わかる透明度のものを、透明度とした。又、デザインしとしても、利用や活用ができるようにした。又、方法としても、利用ができるようにした。そして、又、方法としても、利用や活用ができるようにした。又、本発明は、円い透明の部分がさまざまな、数や複数のものとして、デザインとしても、本は発明とした。又、本発明の透明な部分の透明な部分とは中身などの、じょうたいや残量や色や形状や具合などやその他などが、わかることができる、さまざまな、透明度のものとしました。又、本発明は、二重などの、複数にした、さまざまな、容器やとりだし容器やその他の容器やその他などについても、本発明に含めた。又、さまざまな、容器やとりだし容器やその他の容器などやその他などのりものを、つつみこむような、パッケージなどや、二重にしたものや、包装や覆いなどのものについても、本発明に含めた。又、本発明は、透明な部分に、じょうたいや残量や形状や具合などやその他について、わかるように、目盛りや目印などをつくるようにしたことについても、本発明に含めた。又、方法としても、できるようにした。又、方法としても、利用や活用ができるようにした。
【手続補正２】
【補正対象書類名】手続補正書
【補正対象項目名】手続補正２
【補正方法】削除
【補正の内容】
【手続補正３】
【補正対象書類名】手続補正書
【補正対象項目名】手続補正３
【補正方法】削除
【補正の内容】